(57)【要約】【課題】  弁を作動させるための駆動装置を必要とせず、また、液だれが生じない定量給液弁装置を提供する。【解決手段】  定量給液弁装置３は、供給管１の上流側に設置された弁シート８に向け流路を閉じる方向にバネ７で付勢されているチェック弁５と、その下流側に位置されチェック弁５と共通弁体１０によって連結され下流側への変位により絞り部１２との間で流路を絞るようにしたニードル弁１１を有している。この定量給液弁装置３を、複数本の並列な分岐管路の各々に取付け多連の豆乳充填装置を構成している。チェック弁５は、供給管１からの豆乳の供給圧力で下流側へ変位されて弁シート８から離れ、チェック弁５も下流側へ変位されて絞り部１２との間で流路を絞り豆乳の吐出量を絞る。こうして各定量給液弁装置３における弁は、液の供給圧力（吐出圧力）と吐出量が均衡した状態で変位が止まって吐出ノズル２から定量の豆乳を吐出する。【選択図】      図１
2005306386.tif 000002
【特許請求の範囲】
【請求項１】
給液管に設けられる定量給液弁装置であって、前記給液管の上流側に設置された弁シートに向け流路を閉じる方向に付勢されているチェック弁をもつチェック弁部、および同チェック弁部の下流側に位置され前記チェック弁と共に変位するよう同チェック弁と連結され下流側への変位により前記給液管の流路に形成された絞り部との間で流路を絞るように構成されたニードル弁をもつニードル弁部を有することを特徴とする定量給液弁装置。
【請求項２】
給液管に対し、請求項１に記載の定量給液弁装置をそれぞれ設けた複数本の分岐給液管を並列に連通したことを特徴とする多連定量給液弁装置。
【請求項３】
前記流路における前記絞り部の位置を調整自在に構成したことを特徴とする請求項１に記載の定量給液弁装置。
【発明の詳細な説明】
【技術分野】
【０００１】
本発明は、ポンプなどによって給液管を通して供給される液体を、複数本に多連に分岐した配管を経由して、複数個の容器などに定量ずつ供給するのに用いて好適な給液弁装置に関する。
【背景技術】
【０００２】
液体を各種の容器に充填するなどの目的で給液管に設置されて、定量ずつ液体を供給する給液弁装置は種々のものが提供されているが、その定量供給の精度を上げるためにかなり複雑な制御機構を用いたものが多く、その制御機構を作動させる駆動源を必要とするなどのために給液装置のコストが嵩むという問題があった。
また、従来の各給液弁装置は定量供給のために絞りの調節が難しく、しかも、食品関係に用いる給液弁装置の場合は、その給液弁装置の洗浄を頻繁に行う必要があり、複雑な構造の給液弁の洗浄には手間が掛かるうえ、その洗浄の度に組み立て後、各給液弁装置の絞りを再調節する必要があった。
【０００３】
更にまた、従来の給液弁装置は、液体の定量供給を終えた後、その給液弁が閉じられても、給液弁の下流の管路内に残存した液が流れ出して液だれを生じて周囲を汚すという問題があった。
また、従来の給液弁装置では、定量供給を制御するための絞りの調節機構が給液管の外部に露出しているものが多く、その露出機器部分から給液管の内部に細菌などが侵入しないように厳しい管理体勢が要求されるという煩雑さがあった。
【発明の開示】
【発明が解決しようとする課題】
【０００４】
本発明は、ポンプなどによって供給される液体を定量供給するための従来の給液弁装置が上記した問題点を有していたのに鑑み、弁体を作動させるための駆動装置を必要とせず、しかも弁の絞りを調節するための外部に露出した作動部分がない定量給液弁装置を提供することを課題としている。
また、本発明は弁の絞りの調節を一度行えば再調節の必要がなく、かつ、構造が簡単で分解洗浄が容易な定量給液弁装置を提供することを課題としている。
更にまた、本発明は、給液を終えた後に、液だれを起こすことのない定量給液弁装置を提供することを課題としている。
【課題を解決するための手段】
【０００５】
本発明は、給液管に設けられる定量給液弁装置であって、前記給液管の上流側に設置された弁シートに向け流路を閉じる方向に付勢されているチェック弁をもつチェック弁部、および同チェック弁部の下流側に位置され前記チェック弁と共に変位するよう同チェック弁と連結され下流側への変位により前記給液管の流路に形成された絞り部との間で流路を絞るように構成されたニードル弁をもつニードル弁を有する定量給液弁装置を提供する。
【０００６】
本発明による定量給液弁装置を、複数本の並列な分岐給液管の各々に取付けて多連の定量給液弁装置を構成することができる。
また、本発明による定量給液弁装置において前記した絞り部の位置を調整自在に構成してニードル弁の変位に伴う流路の絞り量を調整可能とするのが好ましい。
【発明の効果】
【０００７】
上記した構成をもつ本発明の定量給液弁装置によると、給液管の上流側に設置されている弁シートに向けて流路を閉じる方向に付勢されているチェック弁は、給液管に液体が供給されて来ると、その液の供給圧力（吐出圧力）を受けて弁シートから離れる方向に下流側へ変位される。このチェック弁の下流側に連結されているニードル弁は、チェック弁の上記した変位によって、同様に下流側へ変位され、絞り部との間の流路を絞り吐出量が絞られることとなる。
こうして液の供給圧力（吐出圧力）と吐出量が均衡した状態でチェック弁とこれに連結されたニードル弁は、変位が止まって安定する。その結果、本発明の定量給液弁装置における各弁は給液の供給圧力（吐出圧力）に応じた位置を保持して常に定量の液を供給することができる。
【０００８】
また、本発明の定量給液弁装置では、チェック弁が給液管に供給されて来る液の圧力によって変位作動され、チェック弁を作動させるための駆動源を必要としない。このようにチェック弁は給液管に供給されて来る液の圧力によって変位作動されるのに加え、チェック弁に連結されているニードル弁も上記したチェック弁の変位によって変位され、共に、給液管外に出た機器によって駆動変位されるものではないので構造が極めて簡単となっており、また、給液管外に露出された駆動部分から細菌などが侵入する恐れがない構成としている。
【０００９】
本発明による定量給液弁装置では、チェック弁と、その下流側に連結されているニードル弁は、前記したように、給液管内の液体の供給圧力（吐出圧力）と吐出量が均衡した状態で変位が止まって安定するので、一度絞り量の調節を行えば、分解洗浄と組み立て操作を行っても再調整の必要がない。
また、本発明による定量給液弁装置では、給液が終わって給液圧が低下すると、チェック弁は付勢力によって弁シートに向かって変位され、この変位によってニードル弁は上流側に変位され、その結果、管路内の液はチェック弁およびニードル弁の上流側への変位によって上流側に吸引されるので、液だれが防止される。
【００１０】
こうして、本発明の定量給液弁装置を、並列に分岐された複数本の分岐給液管の各々に設置すると、それらの複数本の分岐給液管から定量性良く給液することができる。
【００１１】
ニードル弁に対する絞り部の位置を調整可能な構成とすることにより、ニードル弁の変位による流路の絞りの変化を調整することができるので、給液管を複数本に分岐した場合、各給液管の絞り量を調整して各定量給液弁装置における吐出量のばらつきを吸収して吐出量を均等にして複数の分岐流路に給液を分配することができる。
【発明を実施するための最良の形態】
【００１２】
以下、本発明による定量給液弁装置を液体充填装置に適用した例について、図示した実施形態に基づいて具体的に説明する。なお、以下の実施形態は、パック充填豆腐を製造するため、１台のポンプによって供給される凝固剤混合豆乳を多連に分岐した給液管から複数個の吐出ノズルに導き、複数個のパックに対して定量ずつ充填する豆乳充填装置に本発明による定量給液弁装置を適用したものである。
【００１３】
図１は、パック内に凝固剤混合豆乳を定量ずつ充填するため、給液管としての凝固剤混合豆乳供給管１と、パック内にその豆乳を充填する吐出ノズル２との間に本発明による定量給液弁装置３を組み込んで構成した豆乳充填装置における１個の充填系統を示している。
図１において、４はチェック弁部を示し、このチェック弁部４はチェック弁５を有している。６は支持板で、定量給液弁装置３内に取り付けられている。チェック弁５と支持板６の間には、バネ７が介在されていてチェック弁５を凝固剤混合豆乳が供給される凝固剤混合豆乳供給管１の上流側に設置された弁シート８に向け付勢しており、チェック弁５は弁シート８に当接されると、凝固剤混合豆乳供給管１から供給されて来る豆乳の流れを止める。
【００１４】
チェック弁５には共通弁体１０が下流側に連結されていて、その下流側にはニードル弁１１が取り付けられている。支持板６には凝固剤混合豆乳供給管１から供給されて来る豆乳を下流側の吐出ノズル２に向けて流すための適宜の孔９が設けられているとともに、共通弁体１０が摺動可能に貫通する穴が形成されている。
【００１５】
１４はノズル筒体で、このノズル筒体１４において、吐出ノズル２の上流側でニードル弁１１が位置している部分の下流には絞り部１２が形成されていて、ニードル弁１１が豆乳の流れ方向に変位することにより、ニードル弁１１と絞り部１２は豆乳の供給路に対する絞り量を変える。図１の実線位置から下流側の破線位置へ変位するとニードル弁１１と絞り部１２の間の隙間が狭くなり豆乳の流路が絞られることになる。
こうしてニードル弁１１と絞り部１２はニードル弁部１３を構成している。
【００１６】
絞り部１２を形成されたノズル筒体１４は、定量給液弁装置３のハウジング１５に対しねじ部１６を螺合して取り付けられており、ハウジング１５に対するノズル筒体１４のねじ込み量を調節することによってニードル弁１１と絞り部１２の間の距離を調整することができ、これによって、給液の上流下流方向（図では上下方向）に対するニードル弁１１の変位によるニードル弁１１と絞り部１２との間における絞り量が調整できるので、ニードル弁１１の位置による豆乳の吐出量を各々の定量給液弁装置３毎に絞り部１２の位置を調整することによって調節することができる。
１７はナットで、ハウジング１５に対するノズル筒体１４のねじ込み位置を固定するように締めつけられる。
【００１７】
図１は凝固剤混合豆乳供給管１に豆乳が供給されていないときの定量給液弁装置３における各弁の状態を示しており、凝固剤混合豆乳供給管１からは豆乳の供給圧が作用しないため、チェック弁５はバネ７の付勢力によって弁シート８に当接されて凝固剤混合豆乳供給管１の流路を閉じた状態となっている。
【００１８】
次に、この定量給液弁装置３の作動を図２によって説明すると、豆乳供給管１に多連に分岐されている充填路から充填するのに必要な量の豆乳が供給されると、その供給圧が豆乳供給管１の上流側（図２では上方）から各チェック弁５に作用して押し下げ、チェック弁５は下流側（図２では下方）へ変位する。その状態が図２の（ａ）に示されている。
図２の（ａ）に見られるように、チェック弁５が下流側へ変位されると、共通弁体１０によってチェック弁５に連結されているニードル弁１１もチェック弁５と共に下流側へ変位される。
【００１９】
ニードル弁１１が下流側へ変位されると、ニードル弁１１と絞り部１２の間の隙間が狭くなり流路が絞られるので、この部分で豆乳の圧力が高くなる。そのため、チェック弁５は下流側のニードル弁部１３に生ずる豆乳の圧力によって上流側へ押されることになる。
このように、チェック弁５は豆乳の供給圧とニードル弁部１３に生ずる豆乳の圧力およびバネ７からの付勢力と吐出量がバランスする位置に変位して停止する。その状態が図２の（ｂ）に示されている。
【００２０】
複数本並列して設けられた豆乳供給管１の各々における定量給液弁装置３において以上説明した弁作動が行なわれ、各チェック弁５とニードル弁１１は同じ位置をとり、それぞれの吐出ノズル２からは等量の豆乳が吐出されて充填される。
多連に分岐されている各充填ノズルから所定量の充填が終わると豆乳供給管１への豆乳の供給が停止されるので、チェック弁５には豆乳の供給圧が作用しなくなり、チェック弁５はバネ７の付勢力により弁シート８へ向けて変位されて当接され、定量給液弁装置３は図１の閉鎖状態に戻る。
【００２１】
定量給液弁装置３におけるチェック弁５、ニードル１１が図２の（ｂ）に示す状態で豆乳の充填を行なった後、豆乳の供給が終わって定量供給弁装置３が図１の状態に戻る時、定量供給弁装置３の下流側の吐出ノズル２の部分に残留していた豆乳は定量給液弁装置３におけるチェック弁５とニードル弁１１の上流側への変位によって上流側へ吸引され、吐出後の残留豆乳が液だれを起すことがない。
【００２２】
絞り部１２は、定量供給弁装置３のハウジング１５とノズル筒体１４との結合に、ねじ部１６によるねじ込み方式を用いており、このねじ込み量を変えることにより、ニードル弁１１が変位した時の絞り部１２との間の絞り量を調整できるので、吐出ノズルを複数本に分岐して設けた場合における各々の吐出ノズルからの吐出量のばらつきを吸収し、均等分配を得ることができる。
【００２３】
以上、本発明を図示した実施の形態について説明したが、本発明の定量給液弁装置はこの実施の形態に限定されるものではない。
例えば、上記実施形態では、チェック弁５を上流側の弁シートへ付勢するのにバネ７を採用しているが、バネ以外の適宜の弾性体を採用してもよい。
【産業上の利用可能性】
【００２４】
上記した実施の形態では、パックに凝固剤混合豆乳を充填する豆乳充填装置に本発明を適用した場合について説明しているが、本発明は凝固剤混合豆乳を充填する豆乳充填装置に限らず、ポンプなどによって供給される液体を、複数本に分岐した配管を経由して、複数個の供給弁から複数個の容器などに定量ずつ供給するようにした種々の液体供給装置に好適に適用することができる。
【図面の簡単な説明】
【００２５】
【図１】本発明の実施の形態による定量給液弁装置の構造を示す縦断面図。
【図２】図１に示した定量給液弁装置の作動を示す縦断面図で、（ａ）は充填すべき豆乳を供給し始めた時における各弁の位置を示す縦断面図、（ｂ）は豆乳の吐出圧力と吐出量がバランスして吐出が行なわれている時の各弁の位置を示す縦断面図。
【符号の説明】
【００２６】
１      凝固剤混合豆乳供給管
２      吐出ノズル
３      定量給液弁装置
４      チェック弁部
５      チェック弁
６      支持板
７      バネ
８      弁シート
９      孔
１０    共通弁体
１１    ニードル弁
１２    絞り部
１３    ニードル弁部
１４    ノズル筒体
１５    ハウジング
１６    ねじ部
１７    ナット
【図１】
2005306386.tif 000003
【図２】
2005306386.tif 000004